(57)【要約】    【課題】  圃場での作業内容と圃場との関係を正確に対応づけることが可能な装置を提供する。    【解決手段】  重量取得手段２は、作業機械の収納部の収納物重量を計測する重量計測部からの計測値（収納物計測重量）を取得する。作業単位判断手段４は、収納物計測重量の時間的変化に基づいて、作業を作業単位ごとに区分する。記録部６には、各圃場の作付け作物などの情報を示す圃場情報８、各作業単位の順序を示す作業順序情報１０などが記録されている。出力手段１２は、作業順序情報１０を参照し、作業単位を圃場に対応づけて出力する。また、当該圃場に対応する圃場情報を出力する。【選択図】  図１
2015069451.tif 000002
【特許請求の範囲】
【請求項１】
作業機械の収納部の収納物重量を計測するための重量計測器からの収納物計測重量を取得する重量取得手段と、
前記取得した収納物計測重量の時間的変化に基づいて、作業単位を判断する作業単位判断手段と、
圃場の作業順序を記録した記録部にアクセスし、判断した作業単位と圃場とを対応づけて出力する出力手段と、
を備えた圃場管理装置。
【請求項２】
コンピュータによって圃場管理装置を実現するための圃場作業管理プログラムであって、コンピュータを、
作業機械の収納部の収納物重量を計測するための重量計測器からの収納物計測重量を取得する重量取得手段と、
前記取得した収納物計測重量の時間的変化に基づいて、作業単位を判断する作業単位判断手段と、
圃場の作業順序を記録した記録部にアクセスし、判断した作業単位と圃場とを対応づけて出力する出力手段として機能させるための圃場管理プログラム。
【請求項３】
作業機械の収納部の収納物重量を計測するための重量計測器からの収納物計測重量を取得する重量取得手段と、
前記取得した収納物計測重量の時間的変化に基づいて、作業単位を判断する作業単位判断手段と、
作業機械の現在位置を取得する現在位置取得手段と、
圃場の位置情報を記録した記録部にアクセスし、前記判断した作業単位において取得した現在位置に基づいて、当該現在位置に対応する位置情報を有する圃場を特定する圃場特定手段と、
前記作業単位と前記特定した圃場とを対応づけて出力する出力手段と、
を備えた圃場管理装置。
【請求項４】
コンピュータによって圃場管理装置を実現するための圃場作業管理プログラムであって、コンピュータを、
作業機械の収納部の収納物重量を計測するための重量計測器からの収納物計測重量を取得する重量取得手段と、
前記取得した収納物計測重量の時間的変化に基づいて、作業単位を判断する作業単位判断手段と、
作業機械の現在位置を取得する現在位置取得手段と、
圃場の位置情報を記録した記録部にアクセスし、前記判断した作業単位において取得した現在位置に基づいて、当該現在位置に対応する位置情報を有する圃場を特定する圃場特定手段と、
前記作業単位と前記特定した圃場とを対応づけて出力する出力手段として機能させるための圃場管理プログラム。
【請求項５】
請求項１〜４のいずれかの装置またはプログラムにおいて、
前記記録部には、各圃場の作物情報を少なくとも含む圃場情報も記録されており、
前記出力手段は、当該圃場に対応する作物情報を出力することを特徴とする装置またはプログラム。
【請求項６】
請求項１〜５のいずれかの装置またはプログラムにおいて、
前記作業機械は、圃場の作物を収穫して収納部に収納する機械であり、
前記作業単位判断手段は、収納物重量がゼロから上昇した後、下降してゼロになった時点を当該作業単位における作業終了時点であると判断することを特徴とする装置またはプログラム。
【請求項７】
請求項６の装置またはプログラムにおいて、
前記出力手段は、作物情報を含む圃場情報を収穫情報として出力することを特徴とする装置またはプログラム。
【請求項８】
請求項１〜７のいずれかの装置またはプログラムにおいて、
前記作業機械は、収納部に収納された種または苗を、圃場に作付けする機械であり、
前記作業単位判断手段は、収納物重量が下降した後、上昇した時点を当該作業単位における作業開始時点であると判断することを特徴とする装置またはプログラム。
【請求項９】
請求項８の装置またはプログラムにおいて、
前記出力手段は、作物情報を含む圃場情報を作付け情報として出力することを特徴とする装置またはプログラム。
【請求項１０】
請求項１〜９のいずれかの装置またはプログラムにおいて、
前記記録部は圃場管理装置内に設けられていることを特徴とする装置またはプログラム。
【請求項１１】
請求項１〜９のいずれかの装置またはプログラムにおいて、
前記記録部は圃場管理装置からアクセス可能なサーバ装置内に設けられていることを特徴とする装置またはプログラム。
【請求項１２】
請求項５〜１１のいずれかの装置またはプログラムにおいて、
前記出力手段は、作物情報を含む圃場情報を印刷することを特徴とする装置またはプログラム。
【請求項１３】
請求項５〜１１のいずれかの装置またはプログラムにおいて、
前記出力手段は、作物情報を含む圃場情報を他の機器に出力することを特徴とする装置またはプログラム。
【請求項１４】
請求項３〜１３のいずれかの装置またはプログラムにおいて、
前記圃場特定手段は、作業単位における時系列的な位置変化をプロットし、当該時系列的な位置変化と圃場の位置情報とに基づいて、圃場を特定することを特徴とする装置またはプログラム。
【請求項１５】
請求項１４の装置またはプログラムにおいて、
前記圃場特定手段は、前記位置変化の包絡領域を算出し、当該包絡領域と最も重なり合いの大きい圃場領域を有する圃場を特定することを特徴とする装置またはプログラム。
【請求項１６】
請求項１４の装置またはプログラムにおいて、
前記圃場特定手段は、前記位置変化の四隅の点によって形成される領域と最も重なり合いの大きい圃場領域を有する圃場情報を取得することを特徴とする装置またはプログラム。
【請求項１７】
請求項１４の装置またはプログラムにおいて、
前記圃場特定手段は、前記位置変化の軌跡もしくは点が最も重なる圃場領域を有する圃場を特定することを特徴とする装置またはプログラム。
【請求項１８】
請求項１４の装置またはプログラムにおいて、
前記圃場特定手段は、前記位置変化に基づいて各圃場における滞在時間を算出し、最も滞在時間の長い圃場を特定することを特徴とする装置またはプログラム。
【発明の詳細な説明】
【技術分野】
【０００１】
この発明は圃場からの収穫物などを管理するための圃場管理装置に関するものである。
【背景技術】
【０００２】
最近では、圃場ごとの作業履歴を記録に残し、収穫物の履歴情報を消費者や小売店に対して安心・安全の情報として提供する動きが高まっている。そのためには、現場で正しく記録した情報を次の過程に正しく引き継いでいく必要がある。
【０００３】
たとえば、圃場で収穫した農作物をトラックなどで保管庫に運び込む際に、その農作物がどの圃場で収穫されたかを記録するようにしている。各圃場においてどのような農作物が作付されているかの情報は、たとえば特許文献１に開示されているように、互いに関連づけて記録されている。したがって、どの圃場で収穫された農作物であるかを記録することにより、保管庫に収納された農作物がどのような品種で、どのような状態で誰に育てられたのか等の履歴情報をひもづけることができる。
【先行技術文献】
【特許文献】
【０００４】
【特許文献１】特開２０１３−３７４７８
【発明の概要】
【発明が解決しようとする課題】
【０００５】
しかしながら、上記のような方法では、農作物を保管庫に運び込んだ際、農作物が収穫された場所を間違えて記録してしまうと、作物の情報が意味をなさなくなってしまう。異なる品種が混ざってしまったり、同じ品種であっても遺伝子組み換えをしていない農作物と遺伝子組み換えをした農作物が混ざったりするリスクが存在する。
【０００６】
また、収穫した作物と圃場との対応関係だけでなく、圃場での作業内容と圃場との関係を正確に対応づけることが必要な場合がある。
【０００７】
この発明は上記の問題点を解決して、圃場での作業内容と圃場との関係を正確に対応づけることが可能な装置を提供することを目的とする。
【課題を解決するための手段】
【０００８】
(1)(2)この発明に係る圃場管理装置は、作業機械の収納部の収納物重量を計測するための重量計測器からの収納物計測重量を取得する重量取得手段と、前記取得した収納物計測重量の時間的変化に基づいて、作業単位を判断する作業単位判断手段と、圃場の作業順序を記録した記録部にアクセスし、判断した作業単位と圃場とを対応づけて出力する出力手段とを備えている。
【０００９】
したがって、収納物重量の時間的変化に基づいて、自動的に作業と当該作業を行った圃場とを対応づけることができる。
【００１０】
(3)(4)この発明に係る圃場管理装置は、作業機械の収納部の収納物重量を計測するための重量計測器からの収納物計測重量を取得する重量取得手段と、前記取得した収納物計測重量の時間的変化に基づいて、作業単位を判断する作業単位判断手段と、作業機械の現在位置を取得する現在位置取得手段と、圃場の位置情報を記録した記録部にアクセスし、前記判断した作業単位において取得した現在位置に基づいて、当該現在位置に対応する位置情報を有する圃場を特定する圃場特定手段と、前記作業単位と前記特定した圃場とを対応づけて出力する出力手段とを備えている。
【００１１】
したがって、収納物重量の時間的変化に基づいて、自動的に作業と当該作業を行った圃場とを対応づけることができ、さらに、作業を行った圃場を特定することができる。
【００１２】
(5)この発明に係る圃場管理装置は、記録部には、各圃場の作物情報を少なくとも含む圃場情報も記録されており、出力手段は、当該圃場に対応する作物情報を出力することを特徴としている。
【００１３】
したがって、作業内容と作物情報を対応づけて出力することができる。
【００１４】
(6)この発明に係る圃場管理装置は、作業機械が、圃場の作物を収穫して収納部に収納する機械であり、作業単位判断手段は、収納物重量がゼロから上昇した後、下降してゼロになった時点を当該作業単位における作業終了時点であると判断することを特徴としている。
【００１５】
したがって、圃場における作業開始時と作業終了時を判断し、作業単位を特定することができる。
【００１６】
(7)この発明に係る圃場管理装置は、出力手段が、作物情報を含む圃場情報を収穫情報として出力することを特徴としている。
【００１７】
したがって、圃場における収穫作業と収穫作物を対応づけることができる。
【００１８】
(8)この発明に係る圃場管理装置は、作業機械が、収納部に収納された種または苗を、圃場に作付けする機械であり、作業単位判断手段は、収納物重量が下降した後、上昇した時点を当該作業単位における作業開始時点であると判断することを特徴としている。
【００１９】
したがって、正確に作業開始時点を判断することができる。また、作業終了までは収納物重量をゼロにすることなく補充するように決めておけば、作業途中において作業終了であると誤判断するおそれがない。
【００２０】
(9)この発明に係る圃場管理装置は、出力手段が、作物情報を含む圃場情報を作付け情報として出力することを特徴としている。
【００２１】
したがって、作業内容と圃場情報とを対応づけて出力することができる。
【００２２】
(10)この発明に係る圃場管理装置は、記録部が、圃場管理装置内に設けられていることを特徴としている。
【００２３】
したがって、作業現場において圃場管理装置がサーバ装置に接続できなくとも処理を行うことができる。
【００２４】
(11)この発明に係る圃場管理装置は、記録部が、圃場管理装置からアクセス可能なサーバ装置内に設けられていることを特徴としている。
【００２５】
したがって、圃場管理装置に圃場情報を記録していなくとも処理を行うことができる。
【００２６】
(12)この発明に係る圃場管理装置は、出力手段が、作物情報を含む圃場情報を印刷することを特徴としている。
【００２７】
したがって、圃場情報を作業者が目視にて確認することができる。 
【００２８】
(13)この発明に係る圃場管理装置は、出力手段が、作物情報を含む圃場情報を他の機器に出力することを特徴としている。
【００２９】
したがって、圃場情報を他の器機に出力することができる。
【００３０】
(14)この発明に係る圃場管理装置は、圃場特定手段が、作業単位における時系列的な位置変化をプロットし、当該時系列的な位置変化と圃場の位置情報とに基づいて、圃場を特定することを特徴としている。
【００３１】
したがって、移動しながら行う作業において、より正確に対応づけを行うことができる。 
【００３２】
(15)この発明に係る圃場管理装置は、圃場特定手段が、前記位置変化の包絡領域を算出し、当該包絡領域と最も重なり合いの大きい圃場領域を有する圃場を特定することを特徴としている。
【００３３】
したがって、より正確に作業を行った圃場を特定することができる。 
【００３４】
(16)この発明に係る圃場管理装置は、圃場特定手段が、前記位置変化の四隅の点によって形成される領域と最も重なり合いの大きい圃場領域を有する圃場情報を取得することを特徴としている。
【００３５】
したがって、より正確に作業を行った圃場を特定することができる。 
【００３６】
(17)この発明に係る圃場管理装置は、圃場特定手段が、前記位置変化の軌跡もしくは点が最も重なる圃場領域を有する圃場を特定することを特徴としている。
【００３７】
したがって、より正確に作業を行った圃場を特定することができる。 
【００３８】
(18)この発明に係る圃場管理装置は、圃場特定手段が、前記位置変化に基づいて各圃場における滞在時間を算出し、最も滞在時間の長い圃場を特定することを特徴としている。
【００３９】
したがって、より正確に作業を行った圃場を特定することができる。 
【００４０】
「重量取得手段」は、実施形態においては、ステップＳ４やステップＳ２０３がこれに対応する。
【００４１】
「作業単位判断手段」は、実施形態においては、ステップＳ５〜Ｓ１０やステップＳ３０４がこれに対応する。
【００４２】
「出力手段」は、実施形態においては、図４ｂのステップＳ１１〜Ｓ１３や図１２ｂのステップＳ１２、Ｓ１３や図１９ｂのステップＳ３０６、Ｓ３０７がこれに対応する。
【００４３】
「現在位置取得手段」は、実施形態においては、図１２ａのステップＳ４や図１９ａのステップＳ２０３がこれに対応する。
【００４４】
「圃場特定手段」は、実施形態においては、ステップＳ８やステップＳ２０８がこれに対応する。
【００４５】
「作付け作物情報」とは、圃場に作付けした作物あるいは作付け予定の作物に関する情報をいい、品種、作付者、農薬散布の履歴などの情報を含むものである。
【００４６】
「作業単位」とは、ひとかたまりの作業をいい、たとえば圃場ごとの作業をいう。複数の圃場において、同一作物を収穫するなどをする場合には、これら複数の圃場における作業を一つの作業単位として扱うこともできる。
【００４７】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００４８】
【図１】この発明の一実施形態による圃場管理装置の全体構成図である。
【図２】この発明の一実施形態による圃場管理装置を端末装置として構成した場合の構成図である。
【図３】圃場管理端末装置２０のハードウエア構成である。
【図４ａ】圃場管理プログラム４６のフローチャートである。
【図４ｂ】圃場管理プログラム４６のフローチャートである。
【図４ｃ】圃場管理プログラム４６のフローチャートである。
【図５】不揮発性メモリ３６に記録された計測重量の例である。
【図６】圃場での作業工程を示す図である。
【図７】計測重量の時間的変化を示す図である。
【図８】圃場情報の例を示す図である。
【図９】搬送伝票の例を示す図である。
【図１０】他の実施形態における計測重量の時間的変化を示す図である。
【図１１】第二の実施形態による圃場管理装置の全体構成図である。
【図１２ａ】圃場管理プログラム４６のフローチャートである。
【図１２ｂ】圃場管理プログラム４６のフローチャートである。
【図１２ｃ】圃場管理プログラム４６のフローチャートである。
【図１３】圃場決定処理のフローチャートである。
【図１４】計測重量および位置の時間的変化を示す図である。
【図１５】位置情報に基づく圃場特定を説明するための図である。
【図１６】決定圃場候補を示す画面の例である。
【図１７】位置情報に基づく圃場特定を説明するための図である。
【図１８】位置情報に基づく圃場特定を説明するための図である。
【図１９ａ】圃場管理端末装置２０のブラウザプログラムとサーバ装置２２の圃場管理プログラムのフローチャートである。
【図１９ｂ】圃場管理端末装置２０のブラウザプログラムとサーバ装置２２の圃場管理プログラムのフローチャートである。
【発明を実施するための形態】
【００４９】
１．第一の実施形態
1.1全体構成
図１に、この発明の一実施形態による圃場管理装置の全体構成を示す。重量取得手段２は、作業機械の収納部の収納物重量を計測する重量計測部からの計測値（収納物計測重量）を取得する。作業単位判断手段４は、収納物計測重量の時間的変化に基づいて、作業を作業単位ごとに区分する。記録部６には、各圃場の作付け作物などの情報を示す圃場情報８、各作業単位の順序を示す作業順序情報１０などが記録されている。出力手段１２は、作業順序情報１０を参照し、作業単位を圃場に対応づけて出力する。また、当該圃場に対応する圃場情報を出力する。
【００５０】
1.2ハードウエア構成
図２に、圃場管理装置を端末装置として用いた圃場管理システムの構成を示す。圃場管理端末装置２０は、携帯情報端末であり、無線通信などによってインターネット２４に接続可能となっている。インターネット２４には、サーバ装置２２が接続されている。サーバ装置２２には、圃場情報８が記録されている。圃場管理端末装置２０には、作業順序情報１０が記録されている。また、圃場管理端末装置２０には、重量取得手段２、作業単位判断手段４、出力手段１２が設けられている。
【００５１】
図３に、圃場管理端末装置２０のハードウエア構成を示す。ＣＰＵ３０には、メモリ３２、タッチスクリーン３４、不揮発性メモリ３６、ＤＶＤ−ＲＯＭドライブ３８、ＧＰＳ受信器４０、通信回路４２、重量計測器５０が接続されている。タッチスクリーン３４は、表示を行うとともに操作者の入力を受け付けるものである。ＧＰＳ受信器４０は、ＧＰＳ衛星（図示せず）からの信号を受信して現在位置を算出する。通信回路４２は、無線通信によってインターネットに接続するものである。重量計測器５０は、収穫機械における収穫作物を収納するタンクの内容重量（つまり収穫した作物の重量）を計測するものである。なお、この実施形態においては、ＧＰＳ受信機４０は必ずしも必要ではない。
【００５２】
不揮発性メモリ３６には、オペレーティングシステム（WINDOWS（商標）
など）４４、圃場管理プログラム４６が記録されている。圃場管理プログラム４６は、オペレーティングシステム４４と協働してその機能を発揮するものである。オペレーティングシステム４４、圃場管理プログラム４６は、ＤＶＤ−ＲＯＭ４８に記録されていたものを、ＤＶＤ−ＲＯＭドライブ３８を介して不揮発性メモリ３６にインストールしたものである。なお、オペレーティングシステム４４、圃場管理プログラム４６は、インターネットを介してダウンロードしたものであってもよい。
【００５３】
1.3圃場管理処理
圃場管理端末装置２０を使用する者（圃場の収穫作業者など）は、予め、インターネットに接続できる環境において、サーバ装置２２に記録されている圃場情報をダウンロードする。圃場現場においては、インターネット接続ができないことが多いので、自宅などにおいて予めこの作業を行っておくことが好ましい。
【００５４】
図８に、不揮発性メモリ３６に記録された圃場情報８の例を示す。領域情報に対応づけて、集団名、圃場番号、生産者名、品種名などが記録されている。領域情報は、圃場が矩形である場合その四隅の座標（緯度、経度）を記録している。曲線状に曲がっている場合には、それを直線にて近似する連続点の座標も記録している。集団名は、圃場所有者の属する集団（農協など）の名称である。生産者名は生産者の氏名、品種名は作付けしている品種の名称である。これらの他、農薬散布の有無、散布農薬の種類と量等も記録されている。
【００５５】
図４ａ〜図４ｃに、圃場管理プログラム４６のフローチャートを示す。ここでは、複数の圃場について連続して収穫作業を行う場合を例として説明する。
【００５６】
作業者は、タッチスクリーン３４から圃場の作業順序を入力する。たとえば、図６の線Ｋに示すように収穫機械を動かして作業をする予定であれば、圃場Ｈ1、Ｈ2、Ｈ3・・・の順を入力する。ＣＰＵ３０は、これを受けて、圃場の作業順序を不揮発性メモリ３６に記録する（ステップＳ１）。なお、この実施形態では、連続して作業が行われる２以上の圃場であって、同じ作物を同じ条件で作付けしている場合には、一つの圃場として扱うことにする。
【００５７】
次に、ＣＰＵ３０は、作業単位開始フラグを「０」にする（ステップＳ２）。ＣＰＵ３０は、作業者によってタッチスクリーン３４の作業開始ボタンが押されたかどうかを判断する（ステップＳ３）。作業開始ボタンが押されれば、ＣＰＵ３０は、重量計測器５０からの計測重量を取得し記録する（ステップＳ４）。ここでは、まだ収穫は行われていないので重量は「０」である。その際、ＣＰＵ３０内部の時刻時報も併せて記録する。たとえば、図５の１行目のように記録される。
【００５８】
ＣＰＵ３０は、作業開始フラグが「１」であるかどうかを判断する（ステップＳ５）。ここでは、作業開始フラグは「０」であるので、ステップＳ６に進む。ステップＳ６において、ＣＰＵ３０は、計測重量が前回より上昇したかどうかを判断する。ここでは、前回の計測重量がないのでステップＳ９に進む。ステップＳ９において、ＣＰＵ３０は、前回の計測重量の取得から所定時間（たとえば、５分）経過したかどうかを判断する。
【００５９】
所定時間経過すると、ステップＳ４に戻って計測重量を取得し記録する。作業者が収穫機械を稼働させ収穫が開始されると、計測重量が増加する。たとえば、図５に示すように、０．５Kgが記録される。
【００６０】
ＣＰＵ３０は、作業開始フラグが「１」であるかどうかを判断する（ステップＳ５）。ここでは、作業開始フラグは「０」であるので、ステップＳ６に進む。ステップＳ６において、ＣＰＵ３０は、計測重量が前回より上昇したかどうかを判断する。ここでは、計測重量が前回より上昇しているので、作業開始フラグを「１」にする（ステップＳ７）。さらに、計測重量に「開始」を記録する（図５参照）。図７に、時間経過に伴う計測重量の変化を示す。収穫作業を開始すると計測重量が増加する（時刻ｔｓ1参照）。したがって、この時点において作業開始フラグを「１」にする。
【００６１】
ＣＰＵ３０は、計測重量がゼロレベルになったかどうかを判断する（ステップＳ８）。ゼロレベルでなければ、所定時間ごとに計測重量を記録する（ステップＳ７）。図７に、計測重量の時間的変化の例をグラフにて示す。圃場Ｈ1において収穫機械を移動させて収穫を行うと、図７のαに示すように時間経過とともに計測重量が増加する。圃場Ｈ1における収穫作業が終了すると、作業者は、収穫した作物を収穫機械からトラックに移し替える。したがって、図７の時刻ｔＥ1に示すように、計測重量がゼロレベルになる。このように、一つの圃場での作業が終了すると、計測重量がゼロレベルになる。
【００６２】
ステップＳ８において、計測重量がゼロになると、ＣＰＵ３０はステップＳ１０に進み、計測重量に「終了」を記録する。次に、ＣＰＵ３０は、記録されている作業順序に応じて圃場を対応づける（ステップＳ１１）。作業順序として、Ｈ1、Ｈ2、Ｈ3・・・が記録されているとする。ここでは、一番目の作業であるから圃場Ｈ1を対応づける。
【００６３】
ＣＰＵ３０は、対応づけられた圃場Ｈ1の圃場情報（図８参照）を取得する（ステップＳ１２）。続いて、ＣＰＵ３０は、読み出した圃場情報８に基づいて、圃場Ｈ1において収穫した作物の搬送伝票を、モバイルプリンタにて印刷する（ステップＳ１３）。図９に、印刷された搬送伝票の例を示す。上部は作業車の控えであり、下部はトラックの運転手に渡すためのものである。なお、下部には、印刷された各項目の情報を含んだＱＲコード（商標）が印刷されている。
【００６４】
作業者は、収穫した作物をトラックに移し、トラックの運転手に搬送伝票の下部を切り取って渡す。トラックの運転手は、この作物を農協などの保管庫に運ぶ。その際、保管庫の担当者に搬送伝票を渡す。これにより、作物を取り違えることなく保管することができる。なお、保管庫の担当者は、ＱＲコード（商標）を読み取ることで、作物の情報を取得してＰＣ等に記録することができる。
【００６５】
次に、ＣＰＵ３０は、作業順序に記録された全ての圃場について作業が完了したかどうかを判断する（ステップＳ１４）。つまり、全ての圃場について作業の対応付けが行われたかどうかを判断する。作業が未了の圃場が残っていると、ＣＰＵ３０は作業単位開始フラグを「０」にして（ステップＳ１５）、ステップＳ４以下を実行する。
【００６６】
これにより、図７の時点ｔＳ2のところで、作業単位開始フラグを「１」にする（ステップＳ７）。なお、図７の時点γにおいて、計測重量が下降している。これは、収穫機械の収納部が収穫した作物で満杯になったため、トラックに移したからである。この実施形態では、このように同じ圃場内での作業中に収納部が満杯になった場合、作物を全てトラックに移さずに残すようにしている。したがって、時点γにおいては作業の終了と判断されることはない。ＣＰＵ３０は、時点ｔＥ2において、作業の終了であると判断する（ステップＳ１０）。
【００６７】
そして、ＣＰＵ３０は、作業順序に応じて圃場を対応づける。作業順序に記録されている次の圃場はＨ2であるからこれが対応づけられる。さらに、当該圃場Ｈ2の圃場情報を取得し（ステップＳ１２）、搬送伝票を印刷する。このようにして、圃場Ｈ2における収穫作物の搬送伝票が作成される。
【００６８】
以下同様にして、作業順序として記録した圃場全てについて作業が完了するまで、上記の処理が繰り返し実行される。
【００６９】
1.4その他の実施形態
(1)上記実施形態では、収穫機械にて収穫を行う場合について説明した。しかし、収穫以外の苗の植え付け、種まき、肥料の散布など、圃場に対して行う作業の目的物の重量が作業とともに変化する場合に提供することができる。たとえば、苗を植える田植機や種をまく機械についても適用することができる。この場合、苗などを収納して重量が増え、その後、田植え作業などによって重量が低下した点を作業開始点とする。たとえば、図１０に示すように、重量がゼロレベルから上昇し、最初に重量が低下した点ｔＳ1を作業開始点とする。その後、重量がゼロレベルになった点ｔＥ1を作業終了点とする。このようにして、一つの圃場（作業単位）を判断することができる。
【００７０】
なお、圃場が広く途中で苗などを田植機に追加する場合には、重量がゼロレベルになる前に追加するように手順を決めておく（時点γ参照）。ＣＰＵ３０は、当該圃場での田植えが終了し（時点ε）、残った苗を田植機から取り外した時点ｔＥ2を作業終了時とする。ＣＰＵ３０は、いずれの圃場についても、植えた苗や種の重量を算出することができる。
【００７１】
この実施形態の場合、いずれの圃場にどのような苗や種等をどれだけの重量だけ植えたかをハンディプリンタによって印刷することができる。あるいは、そのデータをサーバ装置などに送信して、圃場情報に追加することができる。
【００７２】
(2)上記実施形態では、図７、図１０の時点ｔＳ1を作業開始、時点ｔＥ1を作業終了として判断している。しかし、時点ｔＳ1を作業開始、時点ｔＳ2を作業終了として判断してもよい。この場合、時点ｔＳ2は次の圃場の作業開始点としても用いることになる。また、時点ｔＥ1と時点ｔＳ2の中間点を前の圃場の作業終了点、次の圃場の作業開始点としてもよい。
【００７３】
(3)上記実施形態では、予め、圃場情報８をサーバ装置２２から圃場管理端末装置２０にダウンロードするようにしている。しかし、圃場現場においてインターネットに接続可能であれば、ステップＳ１２において、インターネットを介して、サーバ装置２２から圃場情報８を取得するようにしてもよい。 
【００７４】
(4)上記実施形態では、圃場情報８をインターネットを介してサーバ装置２２から取得するようにしている。しかし、ＳＤカードなどの可搬性メモリによって圃場情報８を取得するようにしてもよい。 
【００７５】
(5)上記実施形態では、作業と圃場との対応づけをＣＰＵ３０が自動的に行うようにしている。しかし、対応する圃場候補を一旦表示して作業者に確認を求めるようにしてもよい。
【００７６】
(6)上記実施形態では、圃場管理端末装置２０として携帯情報端末を用いるようにしている。しかし、圃場での作業用機械に備え付けられたコンピュータとしてもよい。 
【００７７】
(7)上記実施形態では、搬送伝票を印刷するようにしている。しかし、搬送伝票データを可搬性記録媒体に出力するようにしてもよい。
【００７８】
(8)第二の実施形態における他の実施形態は、その本質に反しない限り、第一の実施形態においても適用することができる。
【００７９】
２．第二の実施形態
2.1全体構成
図１１に、この発明の一実施形態による圃場管理装置の全体構成を示す。重量取得手段２は、作業機械の収納部の収納物重量を計測する重量計測部からの計測値（収納物計測重量）を取得する。作業単位判断手段４は、収納物計測重量の時間的変化に基づいて、作業を作業単位ごとに区分する。記録部６には、各圃場の作付け作物などの情報を示す圃場情報８が記録されている。現在位置取得手段２は、圃場管理装置の現在位置をＧＰＳシステム（図示せず）などを用いて取得する。圃場特定手段１６は、現在位置取得手段２によって取得した現在位置に基づいて、当該現在位置に対応する位置情報を有する圃場を特定する。出力手段１２は、記録部６を参照し、前記特定した圃場の圃場情報８を出力する。
【００８０】
2.2ハードウエア構成
この実施形態におけるハードウエア構成は、図２、図３に示す第一の実施形態と同様である。
【００８１】
2.3圃場管理処理
図１２ａ、図１２ｂ、図１２ｃ、図１３に、圃場管理プログラムのフローチャートを示す。
【００８２】
ＣＰＵ３０は、作業単位開始フラグを「０」にする（ステップＳ２）。作業開始ボタンが押されると（ステップＳ３）、ＣＰＵ３０は、重量計測器５０からの計測重量を取得し記録する（ステップＳ４）。また、ＧＰＳ受信機４０からの現在時刻を取得し記録する（ステップＳ４）。したがって、不揮発性メモリ３６には、図１４に示すように、重量だけでなく、位置の時間的変化も記録されることになる。以下、ステップＳ９までは、第一の実施形態と同様である。
【００８３】
重量がゼロレベルになったと判断すると、ＣＰＵ３０は、ステップＳ８からステップＳ１０に進む。ステップＳ８５においては、計測重量に「終了」を記録する。
【００８４】
次に、ＣＰＵ３０は、位置の時間的変化に基づいて圃場決定処理を行う（ステップＳ１１０）。圃場決定処理の詳細を図１３に示す。次に、ＣＰＵ３０は、開始位置から終了位置までの包絡領域を算出する（ステップＳ１１１）。ここで、包絡領域とは、開始位置から終了位置までの各時刻における位置の外形をプロットして形成される領域をいう。たとえば、開始位置から終了位置までの各時刻における位置が、図１５Ａの点ａ〜点ｏに示すようなものであったとする。時刻は、点ａ、ｂ、ｃ・・・ｏの順に経過している。この場合、包絡領域は、図１５Ｂの斜線で囲った領域となる。
【００８５】
ＣＰＵ３０は、算出した包絡領域と各圃場領域との重なり面積を算出する（ステップＳ１１２）。図１５Ｂの例であれば、圃場１−２、１−４、１−５、１−６、１−８との重なりがあるので、それぞれについて重なり面積を算出することになる。ＣＰＵ３０は、最も重なり面積の大きい圃場を決定圃場候補としてタッチスクリーン３４上に表示する（ステップＳ１１３）。図１５Ｂの例であれば、圃場１−５が決定圃場候補となる。図１６に、タッチスクリーン３４に表示された決定圃場候補の例を示す。図中、斜線で示された圃場が決定圃場候補である。
【００８６】
作業者は、タッチスクリーン３４に表示された決定圃場候補が正しければ（つまり、収穫作業を行った圃場であれば）、ＯＫボタンを５０を押す。ＯＫボタン５０が押されると（ステップＳ１１４）、ＣＰＵ３０は、決定圃場候補を決定圃場に確定する（ステップＳ１１６）。
【００８７】
タッチスクリーン３４に表示された決定圃場候補が正しくなければ、作業者はＮＧボタン５２を押す。ＮＧボタン５２が押されると（ステップＳ１１４）、ＣＰＵ３０は、決定圃場を入力するための画面を表示する。これに応じて、作業者が決定圃場を画面上でタッチするなどして決定する（ステップＳ１１５）。以上のようにして圃場の決定が行われる。
【００８８】
ＣＰＵ３０は、ステップＳ１２において、決定圃場の圃場情報８を不揮発性メモリ３６から読み出す（ステップＳ１２）。続いて、ＣＰＵ３０は、読み出した圃場情報８に基づいて、収穫した作物の搬送伝票を、モバイルプリンタにて印刷する（ステップＳ１３）。図９に、印刷された搬送伝票の例を示す。
【００８９】
2.4その他の実施形態
(1)上記実施形態では、開始位置から終了位置までの各位置の包絡領域と、各圃場領域との重なりに基づいて圃場を決定するようにしている。しかし、図１７Ａ、Ｂに示すように、各位置の四隅の点ａ、ｈ、ｋ、ｏによって形成される矩形領域８０と、各圃場領域との重なりに基づいて圃場を決定するようにしてもよい。図１７Ｂでは、圃場１−５が最も重なりが大きいので、圃場１−５が決定圃場候補として選択されることになる。なお、四隅の点を決定する場合、次のようにして行うことができる。たとえば、図１７Ａにおいて、Ｘ座標値が矢印Ｘの方向に増加し、Ｙ座標値が矢印Ｙの方向に増加するものとする。この時、四隅の右上の点は、Ｘ座標値とＹ座標値の合計値が最も大きくなる点を選択すればよい。同様に、左下の点は、Ｘ座標値とＹ座標値の合計値が最も小さくなる点を選択すればよい。また、左上の点はＸ座標値を負の値とし、Ｘ座標値とＹ座標値の合計値が最も大きくなる点を選択すればよい。また、右下の点はＹ座標値を負の値とし、Ｘ座標値とＹ座標値の合計値が最も大きくなる点を選択すればよい。
【００９０】
また、図１８に示すように、隣接する時刻における位置ａ、ｂを結ぶ線Ｌ ab、隣接する時刻における位置ｂ、ｃを結ぶ線Ｌ bc、・・・隣接する時刻における位置ｎ、ｏを結ぶ線Ｌ noを用いて決定圃場候補を選択するようにしてもよい。たとえば、各線分Ｌ ab、Ｌ bc・・・Ｌ noについて、いずれの圃場領域に属しているかを判断する。線分Ｌ abであればその全ての長さ部分が圃場１−５に属していることになる。線分Ｌ bcであれば、半分の長さが圃場１−５に属し、残り半分の長さが圃場１−４に属していることになる。このようにして、各圃場に属する線分の長さを算出して、属する線分長さの合計の最も大きい圃場を選択するようにする。図１８の場合であれば、圃場１−５が決定圃場候補として選択されることになる。
【００９１】
なお、合計長さではなく、圃場に完全に属する線分（その全長が一つの圃場に属する線分）の数を計数し、その数が最も多い圃場を選択するようにしてもよい。
【００９２】
また、各位置ａ、ｂ・・・ｏにおける時刻が分かっているので、これに基づいて、各圃場領域に滞在していた時間を算出することができる。たとえば、線分Ｌ abであれば、点ａの時刻から点ｂの時刻までの時間、圃場１−５に滞在してたことが分かる。線分Ｌ bcであれば、点ｂの時刻から点ｃの時刻までの時間の半分は、圃場１−５に滞在し、残り半分の時間は圃場１−４に滞在していたことが分かる。このようにして、各圃場領域における滞在時間を算出して、その合計値が最も大きい圃場を選択する。図１８の場合であれば、圃場１−５が決定圃場候補として選択されることになる。 
【００９３】
(2)上記実施形態では、決定圃場候補を一旦表示して作業者に確認を求めるようにしている。しかし、作業者に確認せず、決定圃場候補をそのまま決定圃場とするようにしてもよい。 
【００９４】
(3)上記実施形態では、作物の収穫の際、収穫作業を行った圃場を決定するようにしている。しかし、収穫作業以外の作業であって、当該圃場内を移動するような作業であれば、当該作業を行った圃場を決定する際に、同じように適用することができる。たとえば、農薬を散布した圃場、苗や種をまいた圃場などを決定することができる。 
【００９５】
(4)上記実施形態では、圃場管理端末装置２０に圃場管理プログラム４６をインストールして用いるようにしている。しかし、圃場現場において、インターネットを介してサーバ装置２２に接続可能なようであれば、サーバ装置２２側に圃場管理プログラムを置くようにしてもよい。この場合、サーバ装置２２が圃場管理装置となる。この場合、圃場管理端末装置２０には、ブラウザプログラムがあれば十分である。この場合の処理を、図１９ａ、１９ｂに示す。なお、サーバ装置は、通常のＰＣの構成と同様である。そのハードディスクには、圃場管理プログラムや圃場情報８が記録されている。
【００９６】
作業者は、圃場管理端末装置２０からサーバ装置２２にアクセスし、ユーザＩＤなどを入力してログインを行う（ステップＳ２０１）。これを受けて、サーバ装置２２は、初期画面を送信する（ステップＳ３０１）。圃場管理端末装置２０の作業者によって、初期画面の作業開始ボタンを押下されると、その情報がサーバ装置２２に送信される（ステップＳ２０２）。サーバ装置２２は、これを契機として、所定時間毎に現在位置・現在時刻・重量を求める要求を圃場管理端末装置２０に送信する（ステップＳ３０２）。圃場管理端末装置２０は、これに応じて、現在時刻・現在位置・重量をサーバ装置２２に送信する（ステップＳ２０３）。サーバ装置は、これらの位置データ・重量データ及び時刻データをハードディスクに記録する（ステップＳ３０３）。
【００９７】
続いて、サーバ装置２２は、上記実施形態と同様にして、作業開始時点および作業終了時点を判断する（ステップＳ３０４）。具体的には、図１２ａのステップＳ５〜Ｓ１０までの処理を実行する。作業の完了を判断すると、上記実施形態と同様に、圃場決定処理を行う（ステップＳ３０５）。具体的には図１３の処理を実行する。
【００９８】
サーバ装置２２は、決定圃場の圃場情報をハードディスクから取得する（ステップＳ３０６）。さらに、この圃場情報に基づいて、搬送伝票データを生成し、圃場管理端末装置２０に送信する（ステップＳ３０７）。圃場管理端末装置２０は、受信した搬送伝票データに基づいて、搬送伝票を印刷する（ステップＳ２０４）。
【００９９】
なお、第一の実施形態についても同様にして、サーバ装置２２側に圃場管理プログラムを置くようにすることができる。
【０１００】
(5)上記実施形態では、サーバ装置２２の側から現在位置・現在時刻の要求を送信するようにしている。しかし、サーバ装置２２側から要求を行わずに、圃場管理端末装置２０が自発的に、作業開始ボタン押下から所定時間毎に現在位置・現在時刻を送信するようにしてもよい。ただし、この場合には、圃場管理端末装置２０にもブラウザプログラム以外に、このような処理を行うためのプログラムが必要である。 
【０１０１】
(6)上記実施形態では、サーバ装置２２から圃場管理端末装置２０に対して搬送伝票データを送信するようにしている。しかしながら、これに代えて、あるいはこれに加えて、サーバ装置２２から保管庫などのＰＣに対して、インターネットなどを介して搬送伝票データを送信するようにしてもよい。 
【０１０２】
(7)第一の実施形態におけるその他の実施形態は、第二の実施形態においても適用できるものである。 
【図１】
2015069451.tif 000003
【図２】
2015069451.tif 000004
【図３】
2015069451.tif 000005
【図４ａ】
2015069451.tif 000006
【図４ｂ】
2015069451.tif 000007
【図４ｃ】
2015069451.tif 000008
【図５】
2015069451.tif 000009
【図６】
2015069451.tif 000010
【図７】
2015069451.tif 000011
【図８】
2015069451.tif 000012
【図９】
2015069451.tif 000013
【図１０】
2015069451.tif 000014
【図１１】
2015069451.tif 000015
【図１２ａ】
2015069451.tif 000016
【図１２ｂ】
2015069451.tif 000017
【図１２ｃ】
2015069451.tif 000018
【図１３】
2015069451.tif 000019
【図１４】
2015069451.tif 000020
【図１５】
2015069451.tif 000021
【図１６】
2015069451.tif 000022
【図１７】
2015069451.tif 000023
【図１８】
2015069451.tif 000024
【図１９ａ】
2015069451.tif 000025
【図１９ｂ】
2015069451.tif 000026